(57)【特許請求の範囲】
【請求項１】
遊技球を振り分けるための複数の領域を有する回転盤が備えられ、通常の遊技状態よりも遊技者に有利な状態へ移行する権利を獲得できるＶゾーンが前記複数の領域のうち少なくとも１つの領域に対して割り当てられている遊技機であって、
前記Ｖゾーン以外の領域に前記遊技球が入った場合に、前記Ｖゾーンの設定をし直す復活抽選を実行する復活抽選手段を有することを特徴とする遊技機。
【請求項２】
前記復活抽選手段が前記領域の他の一部を指標する指針であり、
前記指針が前記回転盤に対して同軸的に取り付けられ、かつ相対回転するように設けられていることを特徴とする請求項１記載の遊技機。
【請求項３】
前記復活抽選手段が前記領域の他の一部を指定するルーレットであり、
前記ルーレットが前記回転盤に設けられていることを特徴とする請求項１記載の遊技機。
【発明の詳細な説明】
【０００１】
【発明の属する技術分野】
本発明は、遊技球を振り分けるための複数の領域を有する回転盤が備えられ、通常の遊技状態よりも遊技者に有利な状態へ移行する権利を獲得できるＶゾーンが前記複数の領域のうち少なくとも１つの領域に対して割り当てられている遊技機に関する。
【０００２】
【従来の技術】
遊技球を用いた遊技機であるパチンコ機は、遊技形態によって１種、２種、及び３種といった分類がなされている。
【０００３】
上述の３種に分類されるパチンコ機では、前記パチンコ機の電動入賞装置の内側に大当りに移行する権利を獲得できるか否かの抽選を行う回転盤が設けられている。
【０００４】
前記回転盤には、遊技球（パチンコ球）の振り分けを行って前記抽選の結果を決めるための複数の領域（切欠き）が設けられており、前記複数の領域のうち少なくとも１つの領域が大当りに移行する権利を獲得できる領域（Ｖゾーン）となっている。前記Ｖゾーンは回転盤上で固定されており、前記回転盤が回転することで、前記Ｖゾーンも回転盤と同じ角速度で回転するようになっている。このＶゾーンにパチンコ球が入賞すると、大当りに移行する権利が獲得され、所定の遊技手順を経て、大当りが発生するようになっている。
【０００５】
このような３種に分類される遊技機では、パチンコ球が電動入賞装置の内部に入ってからパチンコ球の振り分けが終了するまでの過程において、大当りに移行する権利を獲得できる期待感が遊技者に付与されるようになっている。
【０００６】
【発明が解決しようとする課題】
しかしながら、Ｖゾーンは回転盤上で固定されているため、電動入賞装置の内部に入ったパチンコ球であっても前記複数の領域のうち前記Ｖゾーン以外の領域に入ってしまうと、前記パチンコ球が前記Ｖゾーン以外の領域に入ってしまった時点で、大当りに移行する権利を獲得することができないこと（いわゆるハズレ）が明確になるため、大当りに移行する権利を獲得できるという期待感が失われてしまう。
【０００７】
本発明は、上記問題を解決すべく成されたもので、遊技球がＶゾーン以外の領域に入った後であっても大当りに移行する権利を獲得できる期待感を従来の遊技機よりも持続できる遊技機の提供を目的とする。
【０００８】
【課題を解決するための手段】
請求項１に記載の発明は、遊技球を振り分けるための複数の領域を有する回転盤が備えられ、通常の遊技状態よりも遊技者に有利な状態へ移行する権利を獲得できるＶゾーンが前記複数の領域のうち少なくとも１つの領域に対して割り当てられている遊技機であって、前記Ｖゾーン以外の領域に前記遊技球が入った場合に、前記Ｖゾーンの設定をし直す復活抽選を実行する復活抽選手段を有することを特徴としている。
【０００９】
請求項１に記載の発明によれば、回転盤には、遊技球を振り分けるための、例えば切欠きによって形成された穴などの複数の領域が設けられている。前記複数の領域のうち少なくとも１つの領域には、Ｖゾーンが割り当てられている。このＶゾーンに遊技球が入賞した場合、前記遊技者に有利な遊技状態（いわゆる大当り）へ移行する権利（大当りへ移行する権利）を獲得することができるようになっている。
【００１０】
ここで、Ｖゾーンとは、遊技球を振り分けるための回転盤上に設けられている複数の領域のうち少なくとも１つの領域であって、通常の遊技状態よりも遊技者に有利な遊技状態へ移行するための領域をいう。
【００１１】
また、遊技者に有利な遊技状態に移行する権利とは、通常の遊技状態から遊技者に有利な遊技状態に移行することができる能力をいう。
【００１２】
前記大当りへ移行する権利が獲得された後、所定の遊技手順を経ることで大当りが発生し、通常の遊技状態よりも多くの賞球を得ることができるようになっている。一般に、回転盤上で遊技球を振り分けた結果として、Ｖゾーン以外の領域に遊技球が入ってしまった場合には、前記遊技球が前記Ｖゾーン以外の領域に入ってしまった時点で、大当りに移行する権利が獲得できないこと（いわゆるハズレ）が明確となり、遊技者は大当りに移行する権利を獲得できるという期待感が失われてしまう。そこで、本発明では、前記Ｖゾーン以外の領域に遊技球が入ってしまった場合であっても、前記Ｖゾーンの設定をし直す復活抽選を実行するようにしている。これにより、遊技者は、Ｖゾーン以外の領域に遊技球が入ってしまった後であっても、前記復活抽選が行われるため、大当りに移行する権利を獲得できる期待感を持続させることができる。
【００１３】
請求項２に記載の発明は、前記請求項１に記載の発明において、前記復活抽選手段が前記領域の他の一部を指標する指針であり、前記指針が前記回転盤に対して同軸的に取り付けられ、かつ相対回転するように設けられていることを特徴としている。
【００１４】
請求項２に記載の発明によれば、回転盤に対して同軸的に取り付けられている復活抽選手段の指針が前記回転盤に対して相対回転することで、復活抽選を実行している最中であっても大当りに移行する権利を獲得できる期待感を持続させることができる。また、大当りに移行する権利を獲得するための抽選の結果が前記回転盤に設けられている前記指針を視認することで確認できるため、前記抽選の結果を確認する際の視認性を確保することができる。
【００１５】
請求項３に記載の発明は、前記請求項１に記載の発明において、前記復活抽選手段が前記領域の他の一部を指定するルーレットであり、前記ルーレットが前記回転盤に設けられていることを特徴としている。
【００１６】
請求項３に記載の発明によれば、回転盤に設けられている復活抽選手段のルーレットが復活抽選を実行している最中に作動することで、前記復活抽選を実行している最中であっても大当りに移行する権利を獲得できる期待感を持続させることができる。また、大当りに移行する権利を獲得するための抽選の結果が前記回転盤に設けられている前記ルーレットを視認することで確認できるため、前記抽選の結果を確認する際の視認性を確保することができる。
【００１７】
【発明の実施の形態】
（第１の実施の形態）
以下に、本発明の第１の実施の形態について説明する。
【００１８】
図１には、本実施の形態に係るパチンコ機１１０が示されている。
【００１９】
ここで、このパチンコ機１１０は第３種のパチンコ機であるとする。
【００２０】
前記パチンコ機１１０は、矩形の枠体１１３でその外形が構成されており、店側のベース面１１５に支持されている。また、枠体１１３には、装飾版１１３Ａ、スピーカ１６２、キーシリンダ１１３Ｂ等が配設されている。
【００２１】
枠体１１３の内側正面には、透明ガラス板１１０Ａがガラス枠１１０Ｂに嵌め込まれた状態で配設されている。この透明ガラス板１１０Ａで仕切られた内側領域には、遊技盤１１１が配設されている。また、この遊技盤１１１における円弧状のレール１１２で囲まれた領域が遊技領域であるゲージ部１１４とされている。
【００２２】
図２に示される如く、ゲージ部１１４には、全面に渡って複数の釘１１６が打ち込まれ、レール１１２を通って打ち出されたパチンコ球がこの釘１１６に当たって跳ねたり、釘１１６によって形成される案内路に案内されながら、落下していくようになっている。また、この釘１１６の他、ゲージ部１１４には、風車１１８が取り付けられており、パチンコ球を予期しない方向へ方向転換させるようになっている。
【００２３】
さらに、ゲージ部１１４には複数の位置に入賞口１２０が設けられ、この入賞口１２０にパチンコ球が入ることにより、所定数のパチンコ球が遊技者に払い出されるようになっている。
【００２４】
このようなゲージ部１１４の中央部には、大当りに移行する権利（以下、大当り権利という。）の獲得の抽選を行う抽選装置としての電動入賞装置１２２が配置されている。
【００２５】
前記電動入賞装置１２２には、前記電動入賞装置１２２の可動部である電動チューリップ１２４が設けられている。
【００２６】
また、ゲージ部１１４には、前記電動入賞装置１２２を始動するための始動入賞口１２６が設けられている。前記始動入賞口１２６にパチンコ球が入賞すると、前記電動チューリップ１２４が所定時間開放するようになっている。前記所定時間の開放により、パチンコ球が前記電動入賞装置１２２の内部に入ることが可能となる。
【００２７】
また、前記電動入賞装置１２２の内部には、大当り権利の獲得の抽選を行う回転盤１２８が設けられている。前記回転盤１２８は、後述するＶゾーン等の表示がなされる表示面を有している。ここで、遊技者が前記表示面上の表示を認識しやすくするために、前記回転盤１２８が前記遊技盤１１１面と所定の角度をなして設置されている。
【００２８】
図３には、前記回転盤１２８の表示面の正面図が示されている。
【００２９】
前記回転盤１２８は、図３中の矢印Ａ方向に回転するようになっている。
【００３０】
前記回転盤１２８には、４個の切欠き３００Ａ〜Ｄが設けられている。また、この4個の切欠きのうち１個の切欠き３００Ａは、大当り権利を獲得することができる領域（Ｖゾーン）となっている。
【００３１】
前記切欠き３００Ａには、パチンコ球が通過したことを検知するＶゾーンセンサ（後述）が設けられており、大当り権利が生じる仕組みになっている。さらに、前記切欠き３００Ｂ〜Ｄのそれぞれには、パチンコ球が通過したことを検知する検出センサ（後述）が設けられている。ここで、パチンコ球がＶゾーン以外の領域に入ったとき、すなわち前記パチンコ球が前記検出センサによって検出されたとき、前記Ｖゾーンを設定し直す復活抽選が実行されるようになっている。
【００３２】
また、前記回転盤１２８の表示面には、前記復活抽選の結果としてのＶゾーン（以下、復活Ｖゾーンという。）を指標するための大当り権利抽選針３０２が設けられている。パチンコ球が前記Ｖゾーン以外の領域、すなわち、前記Ｖゾーンに対応する切欠き３００Ａ以外の切欠き３００Ｂ〜Ｄをパチンコ球が通過した場合に、前記切欠き３００Ｂ〜Ｄに設けられているセンサがパチンコ球を検知した後、前記大当り権利抽選針３０２が始動するようになっている。
【００３３】
前記回転盤１２８の表示面の中心には、前記大当り権利抽選針３０２の回転軸３０４が設けられている。なお、前記大当り権利抽選針３０２は図示しない透明な部材（一例として、セルロイド。）で覆われており、前記電動チューリップ１２４を通過したパチンコ球の落下によって前記大当り権利抽選針３０２が破損することを防ぐようになっている。
【００３４】
前記大当り権利抽選針３０２は、前記回転軸３０４を中心に所定時間回転するようになっている。ここでは、回転盤１２８が１／２回転する期間を前記大当り権利抽選針３０２が駆動する所定時間とする。前記所定時間回転の後、前記大当り権利抽選針３０２が指標した箇所の切欠きが復活Ｖゾーンとなる。前記パチンコ球が入賞した領域と前記大当り権利抽選針３０２が示した復活Ｖゾーンとが一致した場合には、大当り権利が発生する仕組みになっている。また、前記パチンコ球が入賞した領域と前記大当り権利抽選針３０２が示した復活Ｖゾーンとが一致しない場合には、大当り権利が発生せず、大当り権利抽選が終了する仕組みになっている。
【００３５】
このように、Ｖゾーン以外の領域にパチンコ球が入賞してしまった後でも、前記大当り権利抽選針３０２によって復活Ｖゾーンを抽選する復活抽選が行われることで、大当り権利が得られる期待感を遊技者に与えることができる。
【００３６】
また、図２に示される如く、電動入賞装置１２２には、大当り権利の抽選結果及び大当り等の遊技状態を遊技者に表示する表示部１２５が設けられている。前記表示部１２５を用いて遊技状態が遊技者に報知されることによって、遊技状態を明確に認識することができる。
【００３７】
図４には、前記回転盤１２８及び前記大当り権利抽選針３０２を回転駆動するための駆動装置３０６の側面図が示されている。ここで、図４の斜線部は、切欠き３００Ａを示している。
【００３８】
前記駆動装置３０６は、前記回転盤１２８の中央部に設けられている穴を介して前記回転軸３０４と連結されている。前記駆動装置３０６が駆動することによって、前記回転軸３０４が、前記回転盤１２８に対して相対回転するようになっている。前記回転軸３０４が前記回転盤１２８に対して相対回転することによって、大当り権利抽選針３０２が前記回転盤１２８の表示面上で前記回転盤１２８に対して相対回転するようになっている。
【００３９】
図２に示される如く、前記ゲージ部１１４には、大入賞口１３０が配置されている。前記大入賞口１３０は、前記大入賞口１３０を開閉する開閉部材である電動チューリップ１３０Ａを備えている。
【００４０】
また、前記ゲージ部１１４には、前記電動チューリップ１３０Ａを始動するための第３種始動入賞口１３２が設けられている。大当り権利が発生した後に前記第３種始動入賞口１３２にパチンコ球が入賞すると、前記電動チューリップ１３０Ａが始動し、前記大入賞口１３０が所定時間の経過または所定数のパチンコ球が入賞することの何れか一方が満たされるまで開放され、大量のパチンコ球を入賞させることができる構成となっている。
【００４１】
なお、前記始動入賞口１２６に入賞したパチンコ球は、最大４球分保留され、電動入賞装置１２２による抽選結果の案内が終了した時点で、保留された分が消化されるようになっている。
【００４２】
また、ゲージ部１１４には、入賞口１３４Ａ〜Ｃが設けられおり、前記入賞口１３４Ａ〜Ｃの何れかにパチンコ球が入賞すると、前記入賞口１３４Ａ〜Ｃのそれぞれに対応する所定数の賞球が得られるようになっている。
【００４３】
図１に示される如く、上記ゲージ部１１４の下部、すなわち、透明ガラス板１１０Ａの下部は、パネル部１４０とされ、その上部パネル１４０Ａには上皿１４１が設けられ、下部パネル１４０Ｂには、発射装置の操作部としてのハンドル１３６と、上皿１４１から落下するパチンコ球を受ける下皿１３８とが設けられている。なお、下部パネル１４０Ｂには、灰皿１４３も設けられている。
【００４４】
ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記回転角度に基づいて発射強度が設定されるようになっている。なお、この回転には、復帰付勢力が付与されており、遊技者が手を離すと自動的に元の回転位置に戻る構造となっている。また、このハンドル１３６の周囲には図示しないストップスイッチが設けられている。このストップスイッチは、ハンドル１３６を回転した状態を維持しながら、発射装置を停止させる機能を有している。
【００４５】
図５には、パチンコ機１１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００４６】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００４７】
主制御基板１５０には、遊技に関する基本的なプログラムが記憶されており、この主制御基板１５０からの命令信号に基づいて、その他の副制御基板１５１が独自に実行する。すなわち、主制御基板１５０は基本的に命令を出力するのみで、その結果等のフィードバックは受けない構成となっている。
【００４８】
払出制御基板１５２は、パチンコ球の払出し数を制御するものであり、音声制御基板１５４は、パチンコ機１１０に設けられたスピーカ１６２からの効果音等の出力を制御する。また、ランプ制御基板１５６は、パチンコ機１１０に取り付けられた電飾部材（遊技盤状態表示灯）１６４の点灯・消灯を制御し、発射制御基板１５８は、遊技者によるパチンコ球の発射を制御する。
【００４９】
図柄表示制御基板１６０は、前記表示部１２５が表示ドライバ１６６を介して接続されており、主制御基板１５０からの命令信号に基づいて、所定の演出効果をもたらす表示を実行する。
【００５０】
前記主制御基板１５０には、入賞口１２０、１３４Ａ〜Ｃ、及び第３種始動入賞口１３２のそれぞれに設けられた入賞センサ１６８、１７０Ａ〜Ｃ、１７２、並びに大入賞口１３０に入賞したパチンコ球を検出する大入賞口センサ１７４が接続されている。
【００５１】
また、この主制御基板１５０には、電動チューリップ１２４を開閉させるためのソレノイド１７６、大入賞口１３０の電動チューリップ１３０Ａを開閉させるためのソレノイド１７８が接続されている。
【００５２】
また、主制御基板１５０では、大当り権利の抽選がなされ、この抽選結果に基づく表示部１２５での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００５３】
上記主制御基板１５０では、前記大当り権利の抽選の結果として前記大当り権利が獲得された後、前記入賞口１３２にパチンコ球が入賞したときに、大入賞口１３０を所定時間、所定回数開放することで、パチンコ球の入賞確率を大幅に高める遊技者有利状態としている。
【００５４】
また、前記主制御基板１５０には、上述の回転盤１２８を制御する回転盤制御基板１８０が接続されている。
【００５５】
前記回転盤制御基板１８０には、上述の始動入賞口１２６に入賞したパチンコ球を検出する入賞センサ１８２が接続されている。
【００５６】
また、前記回転盤制御基板１８０には、回転盤１２８に設けられている切欠き３００Ａ、３００Ｂ、３００Ｃ、及び３００Ｄのそれぞれに設けられたＶゾーンセンサ１８４、検出センサ１８６、１８８、１９０が接続されている。
【００５７】
さらに、前記回転盤制御基板１８０には、上述の回転盤１２８を駆動する回転盤ドライバ１９２を介して前記回転盤１２８が接続されている。
【００５８】
また、前記回転盤制御基板１８０には、上述の大当り権利抽選針３０２を駆動する大当り権利抽選針ドライバ１９４を介して前記大当り権利抽選針３０２が接続されている。
【００５９】
前記入賞センサ１８２がパチンコ球を検出すると、前記回転制御基板１８０が駆動し、前記回転盤ドライバ１９２によって前記回転盤１２８が回転する。また、前記検出の後、検出センサ１８６、１８８、１９０のうち何れかの検出センサでパチンコ球が検出されると、前記大当り権利抽選針ドライバ１９４によって前記大当り権利抽選針３０２が始動するようになっている。
【００６０】
ここで、前記回転盤制御基板１８０では、検出センサ１８６、１８８、１９０のうち何れかの検出センサがパチンコ球を検出した時点から前記大当り権利抽選針３０２が作動停止するまでの間に復活Ｖゾーンが求められるようになっている。
【００６１】
また、前記入賞センサ１８２、Ｖゾーンセンサ１８４、検出センサ１８６、１８８、１９０がパチンコ球を検出した切欠きを示す信号及び前記復活Ｖゾーンに対応する切欠きを示す信号が、前記回転盤制御基板１８０を介して前記主制御基盤１５０に送られるようになっている。前記パチンコ球を検出した切欠きを示す信号及び前記復活Ｖゾーンに対応する切欠きを示す信号に基づいて、前記主制御基板１５０が遊技状態を制御するようになっている。前記主制御基板１５０において、前記パチンコ球を検出した切欠きを示す信号及び前記復活Ｖゾーンに対応する切欠きを示す信号に基づいて、前記復活Ｖゾーンに前記パチンコ球が入賞したと判断されると、大当り権利が獲得されるようになっている。
【００６２】
次に、第１の実施の形態の作用を図面を用いて説明する。
【００６３】
図６には、大当り権利の抽選及び復活抽選を含む大当り抽選におけるフローチャートが示されている。ここで、後述するステップ２２４、２３６、２３８での一連の動作が上述の復活抽選での動作に対応している。
【００６４】
始動入賞口１２６にパチンコ球が入賞（ステップ２２０）すると、ステップ２２２に移行し、電動入賞装置１２２が作動開始する。
【００６５】
前記ステップ２２２では、電動チューリップ１２４が作動開始し、前記電動チューリップ１２４が作動開始すると次のステップ２２４に移行する。
【００６６】
前記ステップ２２４では、電動チューリップ１２４が所定時間開閉する。前記所定時間の間にパチンコ球が前記電動チューリップ１２４を介して前記電動入賞装置１２２の内部に入ると、回転盤１２８に設けられた切欠き３００Ａ〜Ｄのうち何れか１つの切欠きにパチンコ球が入賞する。ここで、前記パチンコ球がＶ入賞したか否かが判断される。すなわち、前記パチンコ球が入賞した切欠きが、切欠き３００Ａであるか否かが判断される。前記判断が肯定されると、大当り権利が獲得され、ステップ２２６に移行する。また、前記判断が否定されると、大当り権利が獲得されずに、ステップ２３６に移行する。
【００６７】
前記ステップ２２６では、前記ステップ２２４において、大当り権利が獲得されているため、パチンコ球が第３種始動入賞口１３２に入賞するまで遊技を継続し、パチンコ球が前記第３種始動入賞口１３２に入賞すると、ステップ２２８に移行する。
【００６８】
前記ステップ２２８では、電動チューリップ１３０Ａが可動し、大入賞口１３０が開放され、ステップ２３０に移行する。
【００６９】
前記ステップ２３０では、前記大入賞口１３０が開放されてから所定時間経過したか否かの判断が行われる。前記判断が肯定されるとステップ２３４に移行し、前記判断が否定されるとステップ２３２に移行する。
【００７０】
前記ステップ２３０においての判断が否定されると、ステップ２３２では、前記大入賞口１３０に入賞したパチンコ球が所定個数であるか否かが判断される。前記判断が肯定されるとステップ２３４に移行し、前記判断が否定されると前記ステップ２３０に移行し、上述した動作が行われる。
【００７１】
前記ステップ２３４では、大当り権利の抽選が終了される。
【００７２】
また、前記ステップ２３６では、パチンコ球が切欠き３００Ｂ〜Ｄのうち何れか１つの切欠きに入賞すると同時に、大当り権利抽選針３０２が作動開始する。このように、前記ステップ２２４においてＶ入賞しなかった場合であっても、復活抽選が行われることで、遊技者に大当り権利を獲得する期待感を付与することができる。ここで、前記大当り権利抽選針３０２は、回転盤１２８が半回転する期間だけ前記回転盤１２８に対して相対回転して停止する。前記大当り権利抽選針３０２が停止したときに、前記大当り権利抽選針３０２が指標している復活Ｖゾーンに、前記パチンコ球が入賞していれば大当り権利を獲得することができる。そこで、前記大当り権利を獲得することができるか否かの判断を次のステップ２３８で行う。
【００７３】
前記ステップ２３８では、パチンコ球が入賞した切欠きが、前記復活Ｖゾーンに対応する切欠きと同一であるか否かの判断が行われる。前記判断が肯定されるとステップ２２６に移行し、上述した動作が行われる。また、前記判断が否定されると前記ステップ２３４に移行し、復活抽選が終了する。
【００７４】
なお、第１の実施の形態において、予めＶゾーンを固定しておいたが、これに限らず、前回の復活抽選の結果として指標されている復活Ｖゾーンが次の大当り権利抽選を実行する際のＶゾーンとなるようにし、このＶゾーン以外の領域にパチンコ球が入った場合に上述の大当り権利抽選針が作動するようにしてもよい。このように、復活抽選が行われる毎に、Ｖゾーンの位置を変更しても、同様な効果が得られる。
【００７５】
以上説明したように本発明の第１の実施の形態によれば、Ｖゾーン以外の領域に遊技球が入ってしまった場合であっても、Ｖゾーンの設定をし直す復活抽選を実行するようにしている。これにより、遊技者は、Ｖゾーン以外の領域に遊技球が入ってしまった後であっても、前記復活抽選が行われるため、大当りに移行する権利を獲得できる期待感を持続させることができる。
【００７６】
また、回転盤１２８に対して同軸的に取り付けられている大当り権利抽選針３０２が前記回転盤１２８に対して相対回転することで、復活抽選を実行している最中であっても大当りに移行する権利を獲得できる期待感を持続させることができる。また、大当りに移行する権利を獲得するための抽選の結果が前記回転盤１２８に設けられている前記大当り権利抽選針３０２を視認することで確認できるため、前記抽選の結果を確認する際の視認性を確保することができる。
【００７７】
なお、本発明の第１の実施の形態では、Ｖゾーン以外の領域にパチンコ球が入ってしまった場合に、上述の復活抽選が第３種の遊技機において実行されるものとしたが、これに限らず前記復活抽選を行う構成を第２種の遊技機にも適用することができる。
【００７８】
（第２の実施の形態）
次に、本発明の第２の実施の形態について説明する。
【００７９】
第２の実施の形態において、上述の第１の実施の形態と同一構成及び同一作用の箇所には、同一符号を付して説明を省略する。
【００８０】
図７（Ａ）には、回転盤１２８の表示面の正面図が示されている。
【００８１】
前記回転盤１２８の表示面には、大当り権利が得られる領域を決定するためのデジタル表示部３０８が設けられている。前記デジタル表示部３０８は、デジタルルーレットとなっている。
【００８２】
前記デジタル表示部３０８は、図７（Ｂ）に示される如く、４個のＬＥＤ３０９Ａ〜Ｄで構成されている。前記ＬＥＤ３０９Ａ〜Ｄは、順に上述の切欠き３００Ａ〜Ｄに対応している。復活抽選の際には、前記ＬＥＤ３０９Ａ〜Ｄの点灯箇所が高速で図７（Ａ）及び（Ｂ）において右回りに移動するようになっている。前記抽選が終了した際に、前記ＬＥＤ３０９のうち点灯しているＬＥＤに対応する切欠きが復活抽選でのＶゾーン、すなわち復活Ｖゾーンとなる。ここでは、前記ＬＥＤ３０９Ｄが点灯し、切欠き３００Ｄが復活Ｖゾーンとなっている場合が示されている（図７（Ａ）及び（Ｂ）の斜線部参照）。
【００８３】
パチンコ球がＶゾーン以外の領域、すなわち、前記Ｖゾーンに対応する１個の切欠き３００Ａ以外の切欠き３００Ｂ〜Ｄにパチンコ球が入賞した場合に、前記切欠き３００Ｂ〜Ｄに設けられている検出センサ１８６、１８８、１９０のうち何れかの検出センサがパチンコ球を検出した後、前記デジタル表示部３０８の前記デジタルルーレットが始動するようになっている。なお、前記大当り権利抽選針３０２は図示しない透明な部材（一例として、セルロイド。）で覆われており、前記電動チューリップ１２４を通過したパチンコ球の落下によって前記デジタル表示部３０８が破損することを防ぐようになっている。
【００８４】
前記デジタルルーレットは、所定時間回転するようになっている。ここでは、回転盤１２８が１／２回転する期間を前記デジタルルーレットが駆動する所定時間とする。前記所定時間回転の後、前記デジタルルーレットが指標した箇所の切欠きが復活Ｖゾーンとなる。前記パチンコ球が入賞した領域と前記復活Ｖゾーンとが一致した場合には、大当り権利が発生する仕組みになっている。また、前記パチンコ球が入賞した領域と前記復活Ｖゾーンとが一致しない場合には、大当り権利が発生せず、大当り権利の抽選が終了する仕組みになっている。
【００８５】
このように、Ｖゾーン以外の領域にパチンコ球が入賞してしまった後でも、前記デジタルルーレットによって復活Ｖゾーンを抽選する機会が設けられることで、大当り権利が得られる期待感を遊技者に与えることができる。
【００８６】
図８には、前記回転盤１２８及び前記デジタルルーレットを駆動するための駆動装置３０６Ａの側面図が示されている。ここで、図４の斜線部は、切欠き３００Ａを示している。
【００８７】
前記駆動装置３０６Ａは、前記回転盤１２８の中央部に設けられている穴を介して前記デジタル表示部３０８と連結されている。前記駆動装置３０６Ａが駆動することによって、前記デジタル表示部３０８に設けられたＬＥＤ３０９の点灯箇所が前記回転盤１２８の表示面上で前記回転盤１２８に対して相対回転するようになっている。
【００８８】
図９には、パチンコ機１１０を制御するための制御系の概略が示されている。
【００８９】
本実施の形態における制御系は、第１の実施の形態における制御系の大当り権利抽選針ドライバ１９４及び大当り権利抽選針３０２（図５参照）に代えて、回転盤制御基板１８０には、上述のデジタル表示部３０８を駆動するデジタル表示部ドライバ１９６を介して前記デジタル表示部３０８が接続されている。
【００９０】
前記入賞センサ１８２がパチンコ球を検出すると、前記回転制御基板１８０が駆動し、前記回転盤ドライバ１９２によって前記回転盤１２８が回転する。また、前記検出の後、検出センサ１８６、１８８、１９０のうち何れかの検出センサでパチンコ球が検出されると、前記デジタル表示部ドライバ１９６によって前記デジタル表示部のデジタルルーレットが始動するようになっている。
【００９１】
ここで、前記回転盤制御基板１８０では、検出センサ１８６、１８８、１９０のうち何れかの検出センサがパチンコ球を検出した時点から前記デジタルルーレットが作動停止するまでの間に復活Ｖゾーンが求められるようになっている。
【００９２】
次に、第２の実施の形態の作用を図面を用いて説明する。
【００９３】
図１０には、大当り権利の抽選及び復活抽選を含む大当り抽選におけるフローチャートが示されている。ここで、後述するステップ２２４、２３６Ａ、２３８での一連の動作が上述の復活抽選での動作に対応している。
【００９４】
ステップ２２４では、パチンコ球が入賞した切欠きが、切欠き３００Ａであるか否かが判断される。前記判断が肯定されると、大当り権利が獲得され、ステップ２２６に移行する。また、前記判断が否定されると、大当り権利が獲得されずに、ステップ２３６Ａに移行する。
【００９５】
前記ステップ２３６Ａでは、パチンコ球が切欠き３００Ｂ〜Ｄのうち何れか１つの切欠きに入賞すると同時に、デジタル表示部３０８に設けられているデジタルルーレットが作動開始する。このように、前記ステップ２２４においてＶ入賞しなかった場合であっても、復活抽選が行われることで、遊技者に大当り権利を獲得する期待感を付与することができる。ここで、前記デジタルルーレットは、回転盤１２８が半回転すると停止する。前記デジタルルーレットが停止したときに、前記デジタル表示部３０８に設けられたＬＥＤが指標している復活Ｖゾーンに、前記パチンコ球が入賞していれば大当り権利を獲得することができる。そこで、前記大当り権利を獲得することができるか否かの判断を行うために、ステップ２３８に移行する。
【００９６】
なお、第２の実施の形態において、ＬＥＤ３０９Ａ〜Ｄの点灯箇所が、復活抽選の際に高速で図７（Ａ）及び（Ｂ）において右回りに移動するようにしたが、これに限らず、高速で左回りに移動するようにしてもよい。また、前記復活抽選の最中にＬＥＤ３０９Ａ〜Ｄの点灯箇所がランダムに移動するようにしてもよい。
【００９７】
また、第２の実施の形態において、予めＶゾーンを固定しておいたが、これに限らず、前回の復活抽選の結果として指標されている領域が次の大当り権利抽選を実行する際のＶゾーンとなるようにし、このＶゾーン以外の領域にパチンコ球が入った場合に上述のデジタルルーレットが作動するようにしてもよい。このように、復活抽選が行われる毎に、Ｖゾーンの位置を変更しても、同様な効果が得られる。
【００９８】
以上説明したように本発明の第２の実施の形態によれば、Ｖゾーン以外の領域に遊技球が入ってしまった場合であっても、前記Ｖゾーンの設定をし直す復活抽選を実行するようにしている。これにより、遊技者は、Ｖゾーン以外の領域に遊技球が入ってしまった後であっても、前記復活抽選が行われるため、大当りに移行する権利を獲得できる期待感を持続させることができる。
【００９９】
また、回転盤１２８に設けられているデジタル表示部３０８のデジタルルーレットが復活抽選を実行している最中に作動することで、前記復活抽選を実行している最中であっても大当りに移行する権利を獲得できる期待感を持続させることができる。また、大当りに移行する権利を獲得するための抽選の結果が前記回転盤１２８に設けられている前記デジタルルーレットを視認することで確認できるため、前記抽選の結果を確認する際の視認性を確保することができる。
【０１００】
なお、本発明の第２の実施の形態では、Ｖゾーン以外の領域にパチンコ球が入ってしまった場合に、上述の復活抽選が第３種の遊技機において実行されるものとしたが、これに限らず前記復活抽選を行う構成を第２種の遊技機にも適用することができる。
【０１０１】
【発明の効果】
以上説明したように本発明によれば、Ｖゾーン以外の領域に遊技球が入ってしまった場合であっても、前記Ｖゾーンの設定をし直す復活抽選を実行するようにしている。これにより、遊技者は、Ｖゾーン以外の領域に遊技球が入ってしまった後であっても、前記復活抽選が行われるため、遊技者に有利な状態へ移行する権利を獲得できる期待感を持続させることができる。
【図面の簡単な説明】
【図１】本発明の第１の実施の形態に係るパチンコ機の概略正面図である。
【図２】本発明の第１の実施の形態に係るゲージ部の正面図である。
【図３】本発明の第１の実施の形態に係る回転盤の上面図である。
【図４】本発明の第１の実施の形態に係る回転盤の側面図である。
【図５】本発明の第１の実施の形態に係るパチンコ機の制御系を示すブロック図である。
【図６】本発明の第１の実施の形態に係る大当り権利の抽選及び復活抽選を含む大当り抽選におけるフローチャートである。
【図７】（Ａ）は本発明の第２の実施の形態に係る回転盤の上面図であり、（Ｂ）はデジタル表示部の上面図である。
【図８】本発明の第２の実施の形態に係る回転盤の側面図である。
【図９】本発明の第２の実施の形態に係るパチンコ機の制御系を示すブロック図である。
【図１０】本発明の第２の実施の形態に係る大当り権利の抽選及び復活抽選を含む大当り抽選におけるフローチャートである。
【符号の説明】
１１０        パチンコ機
１２８        回転盤
１８０        回転盤制御基板
１８２        入賞センサ
１８４        Ｖゾーンセンサ
１８６        検出センサ
１８８        検出センサ
１９０        検出センサ
１９２        回転盤ドライバ
１９４        大当り権利抽選針ドライバ
１９６        デジタル表示部ドライバ
３００Ａ〜Ｄ  切欠き
３０２        大当り権利抽選針（復活抽選手段）
３０４        回転軸
３０６        駆動装置
３０６Ａ      駆動装置
３０８        デジタル表示部（復活抽選手段）
３０８Ａ〜Ｄ  ＬＥＤ（復活抽選手段）
【図１】
0003748520.tif 000002
【図２】
0003748520.tif 000003
【図３】
0003748520.tif 000004
【図４】
0003748520.tif 000005
【図５】
0003748520.tif 000006
【図６】
0003748520.tif 000007
【図７】
0003748520.tif 000008
【図８】
0003748520.tif 000009
【図９】
0003748520.tif 000010
【図１０】
0003748520.tif 000011